(57)【特許請求の範囲】
【請求項１】
上面が開口するケース本体１０と、ケース本体１０の上面開口を塞ぐ蓋体１１とで構成されて、前側面にディスクカートリッジ１用の出入口１２が開口しているブックケース型の収納ケースであって、
蓋体１１はケース本体１０に前後スライド自在に支持されて、ケース本体１０の上面開口を開閉でき、
蓋体１１の内面に設けた左右一対の蓋側壁１９の一方には、ディスクカートリッジ１の周側壁の装填始端寄りに設けた凹部６と係合して、ディスクカートリッジ１の抜け出しを防ぐロック体３０が設けられており、
他方の蓋側壁１９には、ディスクカートリッジ１を前後逆向きに収納ケースに装填した状態において、ディスクカートリッジ１の周側壁に設けた段部９と係合して、ディスクカートリッジ１の抜け出しを防ぐロック壁３７が突設されており、
ロック体３０とロック壁３７の対向間隔Ｗが、ディスクカートリッジ１の左右幅寸法より僅かに小さく寸法設定してあるディスクカートリッジ用の収納ケース。
【請求項２】
ロック壁３７と対向する側の蓋側壁１９の後端寄りに、ディスクカートリッジ１を前後逆向きに収納ケースに装填した状態において、ディスクカートリッジ１の周側壁を受け止める規制突起３９が設けられており、
規制突起３９が、収納ケースに適正に装填されたディスクカートリッジ１の装填始端側の丸角部４０に臨むよう設けられている請求項１記載のディスクカートリッジ用の収納ケース。
【請求項３】
ディスクカートリッジ１のカートリッジケース３に、信号読み取り窓４をスライド開閉するシャッター５が設けられており、
前記ロック壁３７が、シャッター５用のスライド凹部８の開放側のスライド端に設けた段部９に係合するようにした請求項１又は２記載のディスクカートリッジ用の収納ケース。
【発明の詳細な説明】
【０００１】
【発明の属する技術分野】
本発明は、カートリッジケース内に光ディスクや光磁気ディスク等が内蔵してあるディスクカートリッジを収納保存するためのブックケース型の収納ケースに関する。
【０００２】
【従来の技術】
かかるディスクカートリッジのひとつにミニディスク（以下単にＭＤという）がある。ＭＤ用の収納ケースは薄い角箱状に形成してあり、ケース前側面に出入口を設けてブックケース状に構成してある。図９に示すように、収納ケース４０内には一対のロック体４１が組み込んであり、ＭＤ４２を収納ケース４０に差し込んで、両ロック体４１をカートリッジケースの下面両側の位置決め凹部４４に落とし込み係合することにより、ＭＤ４２が収納ケース４０から滑落するのを防止できる。ＭＤ４２のケース表面には、ディスクドライブへの装填始端を表示する装填表示が印刷してあり、ＭＤ４２を収納ケース４０に収納する場合にも、前記表示で規定されたケース端を装填始端にしてＭＤ４２が差し込み収納される。
【０００３】
【発明が解決しようとする課題】
ＭＤ４２のカートリッジケースは四角形状に形成してあるので装填方向を間違いやすく、装填方向を前後逆向き状態で収納ケースに装填しやすい。こうした場合にも、図９（ｂ）に示すようにロック体４１はＭＤ４２の周側面に圧接するので、ＭＤが自重で滑落することはない。しかし、この場合のＭＤはロック体の弾性力による摩擦抵抗で保持されているだけなので、十分な保持力が得られない。この保持力は、例えば収納ケースを振り動かした場合に、ＭＤが簡単にケース外へ飛び出してしまう程度でしかない。
【０００４】
従来の収納ケースは、ＭＤの出し入れを簡便に行い難い点にも改善の余地がある。具体的には、ＭＤを取り出す際に、収納ケースとＭＤとを左右の手でつかんで、両者をロック体の弾性力に抗して引き離すように抜き出し操作しなければならず、例えば自動車の車内ではＭＤの取り出し操作が煩わしい。ＭＤを収納ケースに収める場合には、ＭＤの周側面の出入口と正しく正対した状態でケース内へ差し込む必要があるが、出入口の開口幅が５mm前後と狭いので、とくに薄暗い場所等ではＭＤを挿嵌し辛い。
【０００５】
本発明の目的は、ディスクカートリッジを前後が逆になった間違った姿勢で収納ケースに装填した場合にも、ディスクカートリッジをロック保持でき、使用者の明確な意図がない限りはディスクカートリッジの収納状態を維持し、その保護を確実に行えるようにすることにある。
本発明の目的は、ディスクカートリッジの出し入れが簡便に行え、必要があればディスクカートリッジを片手操作で取り出し、更にディスクドライブに装填できる、使い勝手の良い収納ケースを提供することにある。
本発明の目的は、ディスクカートリッジが前後逆姿勢でケースに装填され長期保存される場合にも、ロック体の弾性腕がクリープ変形するのを防止することにある。
【０００６】
【課題を解決するための手段】
本発明は、図２および図３に示すごとく、上面が開口するケース本体１０と、ケース本体１０の上面開口を塞ぐ蓋体１１とで構成されて、前側面にディスクカートリッジ１用の出入口１２が開口しているブックケース型の収納ケースを対象とする。蓋体１１はケース本体１０に前後スライド自在に支持されて、ケース本体１０の上面開口を開閉でき、蓋体１１の内面に設けた左右一対の蓋側壁１９の一方には、ロック体３０を設けてあり、このロック体３０がディスクカートリッジ１の周側壁の装填始端寄りに設けた凹部６に係合して、ディスクカートリッジ１の抜け出しを防ぐ。他方の蓋側壁１９には、ディスクカートリッジ１を前後逆向きに収納ケースに装填した図１（ｂ）の状態において、ディスクカートリッジ１の周側壁に設けられた段部９と係合して、ディスクカートリッジ１の抜け出しを防ぐロック壁３７を突設する。ロック体３０とロック壁３７との対向間隔Ｗは、ディスクカートリッジ１の左右幅寸法より僅かに小さく設定する。
【０００７】
具体的には、ロック壁３７と対向する側の蓋側壁１９の後端寄りに、ディスクカートリッジ１を前後逆向きに収納ケースに装填した状態において、ディスクカートリッジ１の周側壁を受け止める規制突起３９を設ける。規制突起３９は、収納ケースに適正に装填されたディスクカートリッジ１の装填始端側の丸角部４０に臨むよう設ける。カートリッジケース３に、信号読み取り窓４をスライド開閉するシャッター５が設けてあるディスクカートリッジにおいては、前記ロック壁３７をこれがシャッター５用のスライド凹部８の開放側のスライド端に設けた段部９に係合するようにしてある。
【０００８】
【作用】
ディスクカートリッジ１を適正な姿勢で収納ケースに差し込み装填すると、図１（ａ）に示すごとく蓋側壁１９に設けたロック体３０が凹部６に落ち込み係合して、ディスクカートリッジ１を装填状態に保持する。このとき、ロック壁３７はディスクカートリッジ１の周側面と接当している。つまり、ディスクカートリッジ１は左右のロック体３０とロック壁３７とで挟持状に保持されている。装填始端が前後逆になる状態でディスクカートリッジ１を収納ケースに装填すると、図１（ｂ）に示すようにロック体３０がカートリッジケース３の周側面に接当して、ディスクカートリッジ１の全体をロック壁３７側へ押し付けるので、ケース周側面の段部９が後方側に位置してロック壁３７に係合する。従って、上記の適正な装填を行った場合と同様にディスクカートリッジ１の抜け出しを確実に防止する。
【０００９】
規制突起３９は、前後逆向きに装填されたディスクカートリッジ１の周側壁を受け止めて、ロック体３０の弾性腕３３がディスクカートリッジ１の重みで弾性変形されるのを阻止するために設けてあり、これにより弾性腕３３が弾性変形した状態のままで長期間放置されるのを解消する。規制突起３９は、ディスクカートリッジ１の段部９をロック壁３７と確実に係合させる機能を果たす。規制突起３９はディスクカートリッジ１の装填始端側の丸角部４０に臨んでいるので、ディスクカートリッジ１を適正な姿勢で収納ケースに装填した状態では、ディスクカートリッジ１と接当せず、逆装填時にのみディスクカートリッジ１の周側面を受け止める。
【００１０】
蓋体１１を出入口１２から遠ざかる後方側へスライド操作すると、出入口１２に連続してケース本体１の上面側の開口も開口できる。この状態では、収納ケースの前面および上面が同時に開口されるので、ディスクカートリッジ１を容易に出し入れできる。蓋体１１を所定量スライド開放すると、ロック体３０が同行移動して凹部６との係合を解除するので、片手操作でもディスクカートリッジ１を自由に取り出せる。ディスクカートリッジ１を前後逆にして収納ケースに装填した場合にも、蓋体１１をスライド開放することにで同様にロック壁３７と段部９の係合状態を解除してディスクカートリッジ１を容易に取り出せる。
【００１１】
【実施例】
図１ないし図８は本発明の実施例を示しており、これはＭＤ（ディスクカートリッジ）用の収納ケースに供するものである。図３においてＭＤ１は、光磁気ディスク２と、これを収容する薄角箱状のカートリッジケース３とからなり、カートリッジケース３の上下両面の一側に開口した信号読み取り窓４をシャッター５でスライド開閉できる。カートリッジケース３の下ハーフ側の左右両側の後部には、位置決め用の凹部６が半長円状にそれぞれ凹設されている。カートリッジケース３の上面後方には、ディスクドライブに対する適正な装填方向を示す装填表示７が印刷してある。シャッター５はカートリッジケース３の上下面に浅く凹み形成したスライド凹部８の範囲内を開閉スライドでき、カートリッジケース３の外面において装填表示７とは逆側の前端寄りに設けた段部９で、開放側のスライド限界を規定している。
【００１２】
図２において収納ケースは、ケース本体１０と蓋体１１とで収納室を区画した薄形角箱状に形成されており、ケース前面にＭＤ１を出し入れするための出入口１２が設けてある。収納室の内部にはＭＤ１と共にインデックスカードを収容できる。
【００１３】
図２においてケース本体１０は、底壁１４と、左右一対の側壁１５・１５と、底壁１４の後縁に立設した後壁１６とを一体に形成した、上面および前面が開口するプラスチック成形品からなり、ケース前面の開口を前記出入口１２とし、ケース上面の開口を第２開口とする。蓋体１１は、第２開口の全体を上面側から閉止する主面壁１８と、主面壁１８の左右両側の下面側に側壁１５と平行に突設した左右一対の蓋側壁１９と、主面壁１８の後縁の左右両端から下方に突設した蓋後壁２０とを一体に形成したプラスチック成形品からなり、透明ないし半透明のプラスチック材で形成する。両蓋側壁１９の左右間の対向間隔は、ＭＤ１の左右幅寸法より僅かに大きく設定しておく。
【００１４】
ケース本体１０と蓋体１１とは次のように連結することにより、第２開口を蓋体１１で開閉できる。図２において、蓋体１１の左右の蓋側壁１９の中途部の下端外面に軸２１をそれぞれ外向きに突設し、ケース本体１０の左右側壁１５の後端下部にガイド溝２２を設け、このガイド溝２２で軸２１を受け入れ支持する。ガイド溝２２は、側壁１５の内面に突設したリブで区画してある。ガイド溝２２の長さは、後述するロック体３０の装着位置との関係で規定してあり、蓋体１１を開放待機位置までスライド開放したとき、ロック体３０がケース後方へ十分に突出できる長さに寸法設定されている。
【００１５】
蓋体１１は、主面壁１８がケース本体１０の左右側壁１５間に面一状に嵌まり込んで、第２開口１７を完全に閉止する図６（ａ）の閉じ位置と、図６（ｂ）に示すように全体がガイド溝２２に沿って出入口１２から遠ざかる後ろ向きにスライド移動した第１開放位置と、図６（ｂ）の想像線で示すように全体が軸２１を中心にして上開き揺動して第２開口１７の全体を開放する第２開放位置とに変位できる。蓋体１１の後方スライドを許すために、図２に示すごとく後壁１６の左右両端には、それぞれ開口２５を設けてある。さらに蓋体１１が揺動開閉するとき、蓋側壁１９がケース本体１０の底壁１４と接当干渉するのを防ぐために、蓋側壁１９の軸２１より後ろ側の壁面に逆Ｖ字形の切欠２６を設けてある（図７参照）。
【００１６】
閉じ位置において、蓋体１１が不用意にケース後方へスライド移動するのを規制するために、蓋側壁１９とケース本体１０の左右側壁１５との対向面間にそれぞれスライドロックを設ける。図４においてスライドロックは、蓋側壁１９の外側面の前端上部に突設した側面視でＬ字状の係合片２７と、係合片２７に対応して両側壁１５の内側面の前端上部寄りに横内向きに突設した平面視で台形状のロック片２８とからなる。閉じ位置において、係合片２７の垂直壁はロック片２８の前方の係合案内面に接当係合して、蓋体１１が後方へスライドするのを規制する。更に、係合片２７の水平壁はロック片２８の下面側に位置して、蓋体１１が第２開口から浮き上がる向きに動こうとするのを阻止する。両者２７・２８の係合力に抗して、蓋体１１をスライド操作すると、主に側壁１５が弾性変形して、係合片２７とロック片２８の係合状態が解除される。
【００１７】
収納ケースの取り扱い時にＭＤ１が滑落するのを防ぐために、蓋体１１の右側の蓋側壁１９にロック体３０を設ける。図５および図７においてロック体３０は、前後一対の係合爪３１を有するコ字枠状の基部３２と、基部３２の下部に連続する部分円弧状の弾性腕３３とを一体に形成したプラスチック成形品からなり、係合爪３１を蓋側壁１９に設けた装着穴に圧嵌係合して装着する。この装着状態において、弾性腕３３は蓋側壁１９に設けた切欠を介してケース内方に突出し、図５に示すようにＭＤ１を収納ケースに装填した状態では、弾性腕３３が凹部６に外側方から落ち込み係合して、ＭＤ１の抜け出しを防ぐ。
【００１８】
ＭＤ１を前後が逆向き状態で収納ケースに装填することがある。こうした場合にも、ＭＤ１の抜け出しを確実に防ぐために蓋体１１の左側の蓋側壁１９には、逆装填用のロック壁３７を設ける。ＭＤ１を前後逆に装填した状態では、図１に示すようにスライド凹部８の段部９が、左側の蓋側壁１９と対向する。つまり、この左側の蓋側壁１９の内面に部分円弧状のロック壁３７を突設してあり、このロック壁３７が段部９にこれの前方側から係合する。更に詳しくは図８に示すごとくロック壁３７の突端がスライド凹部８の周側面に入り込んで段部９を受け止める。図１に示すように、ロック体３０の弾性腕３３とロック壁３７との左右間の対向間隔Ｗは、カートリッジケース３の左右幅寸法より僅かに小さく寸法設定する。
【００１９】
ＭＤ１を適正な姿勢で収納ケースに装填すると、一方（図では右側）のロック体３０の弾性腕３３がＭＤ１の右方の凹部６に落ち込み係合する。しかし、ＭＤ１を前後逆に装填した場合には、ロック体３０の弾性腕３３は、カートリッジケース３の周側壁と接当して、ＭＤ１の全体を左側のロック壁３７側へ押しやる。そのため、図１（ｂ）に示すようにＭＤ１はロック壁３７の側へ僅かに横移動し、スライド凹部８内の周側面がロック壁３７で受け止められる。つまりＭＤ１は、ロック体３０とロック腕３７とで挟み保持され、さらに段部９がロック壁３７で受け止められる。従って収納ケースを振り動かしたり、誤って床面に落としたような場合にも、ＭＤ１が収納ケースから飛び出すことはなく、装填状態を確実に維持できる。
【００２０】
多くの場合、収納ケースは出入口１２が縦長姿勢になる状態で収納保存される。このとき、ＭＤ１が前後逆姿勢で収納ケースに装填してあると、ＭＤ１の重量をロック体３０で支持することがあり、そうした状態のままで長期間保存すると、弾性腕３３が弾性変形姿勢で固まってしまう。こうした事態を避けるために、ロック体３０を設けた右側の蓋側壁１９の後端寄り内面に、ＭＤ１の周側壁を受け止める規制突起３９が設けられている。図７に示すように規制突起３９は上下に長いリブとして形成してあり、ＭＤ１の装填始端側の丸角部４０に臨んで設ける（図１（ａ）参照）。これは規制突起３９が適正な姿勢で装填されたＭＤ１と接当干渉するのを避けるためである。
【００２１】
以上のように構成した収納ケースは、使用状況に応じて蓋体１１を閉じた状態と、第１開放位置へスライド開放した状態と、第２開口１７の全体を開放した状態とのいずれでも、ＭＤ１やインデックスカードを出し入れできる。閉じ位置にあった蓋体１１をケース後方へ押し開き操作すると、係合片２７は前方の係合案内面に案内されてロック片２８の突出側面を乗り越えて、ロック解除状態に切り換わる。このとき、ＭＤ１はケース本体１０の後壁１６に受け止められて、ケース後方への移動が規制される。そのため、ロック体３０の弾性腕３３は弾性変形しながら凹部６から抜け出てＭＤ１のロック保持を解除する。ロック体３０が開口２５を介してケース後方へスライド移動した状態では、ＭＤ１を自由に出し入れでき、必要に応じて片手で取り出し操作を行える。
【００２２】
前後を逆にして装填したＭＤ１を取り出す場合にも、上記と同様に蓋体１１を片手でスライド操作してＭＤ１を取り出せる。この場合には、蓋体１１をケース後方にスライド開放した後、ＭＤ１を出入口１２から押し出すことにより、装填表示７で規定された側を始端にしてＭＤ１をケース外へ送り出せる。つまり、ＭＤ１を片手操作で収納ケースから取り出しながら、直ちにディスクドライブに差し込み装填できる。
【００２３】
上記の実施例では、ロック壁３７を部分円弧状に形成したが、平面視において台形状や鋸刃状に形成してもよい。規制突起３９は、リブ状に形成する以外に、蓋側壁１９と蓋後壁０とに連続するＬ字枠状に形成することができる。図８に示すように、段部９はカートリッジケース３の上ハーフ側と下ハーフ側とで位置ずれする状態で段階状に形成してあり、上記の実施例では上ハーフ側の段部９をロック壁３７で受け止めるようにした。しかし、下ハーフ側の段部９ａをロック片２７で受け止めてもよく、この場合には蓋側壁１９の下端寄りに限ってロック壁３７を突設する。蓋体１１は閉じ位置から９０度起立した位置まで開放できるに越したことはないが、第２開放位置において主面壁１８が傾斜する状態であってもよく、単に閉じ位置と第１開放位置との間でスライド開閉できるものであってもよい。
【００２４】
【発明の効果】
本発明では、蓋体１１の左右の蓋側壁１９・１９に、ディスクカートリッジ１の凹部６に係合するロック体３０と、逆装填時用のロック壁３７とを設けて、ディスクカートリッジ１が前後逆向きに収納ケースに装填された場合にも、その周側面の段部９をロック壁３７で受け止めて、ディスクカートリッジ１の装填状態を確実に維持できるようにした。従って、使用者は前後の違いを意識する必要もなく、ディスクカートリッジ１を収納ケースに手軽に装填できるうえ、使用者の明確な意図がない限りは、収納状態を維持してディスクカートリッジを確実に保護できる。
【００２５】
蓋側壁１９に規制突起３９を設けてあると、ディスクカートリッジ１を前後逆向きに装填した状態において、ディスクカートリッジ１の周側面を規制突起３９で受け止めて、ロック体３０の弾性腕３３がディスクカートリッジ１の重みで弾性変形されるのを防止でき、収納ケースが長期間保存される場合でも弾性腕３３のクリープ変形を阻止し、ロック体３０を常に適正に機能させることができる。
【００２６】
蓋体１１をケース後方へスライド操作することにより、ケース上面の第２開口７を開放でき、同時にケース内に収めたディスクカートリッジ１のロック体３０による拘束を解除できるようにした。従って、ディスクカートリッジ１の収納ケースに対する出し入れを簡便に行え、必要があれば片手のみでディスクカートリッジ１を取り出し、さらにディスクドライブに装填でき、全体として収納ケースの使い易さが向上する。
【図面の簡単な説明】
【図１】適正状態と逆装状態とを示す収納ケースの横断平面図である。
【図２】ケース本体と蓋体とを分解した状態での斜視図である。
【図３】内部構造を示す一部破断平面図である。
【図４】図３におけるＡ−Ａ線断面図である。
【図５】図３におけるＢ−Ｂ線断面図である。
【図６】蓋体が閉じ位置と第１開放位置と第２開放位置とにある状態での断面図である。
【図７】ロック体および規制突起を示す斜視図である。
【図８】逆装填時のロック壁の係合状態を説明する斜視図である。
【図９】収納ケースの比較例を示す横断平面図である。
【符号の説明】
１  ディスクカートリッジ
６  凹部
８  スライド凹部
９  段部
１０  ケース本体
１１  蓋体
１２  出入口
１７  第２開口
１９  蓋側壁
３０  ロック体
３７  ロック壁
３９  規制突起
４０  丸角部
【図１】
0003703123.tif 000002
【図２】
0003703123.tif 000003
【図３】
0003703123.tif 000004
【図４】
0003703123.tif 000005
【図５】
0003703123.tif 000006
【図６】
0003703123.tif 000007
【図７】
0003703123.tif 000008
【図８】
0003703123.tif 000009
【図９】
0003703123.tif 000010